(57)【要約】【課題】保守作業の開始を作業管理サーバに確実に通報することができる監視システムおよび保守作業開始の通報方法を得る。【解決手段】状態が通常状態と点検状態とに切り替わる点検用スイッチを備えた監視対象装置を監視する監視装置と、監視装置との間で通信を行う端末装置と、監視対象装置に対する監視装置の作業を管理する作業管理サーバと、を備え、端末装置は、休止状態および活動状態を含み、端末装置の休止状態においても監視装置からのアクセスが可能であって、端末装置を使用する保守員の保守員番号が記憶された保守員番号記憶部を有し、監視装置は、点検用スイッチが通常状態から点検状態に切り替わった場合に、監視装置の近傍に存在する端末装置の保守員番号記憶部から保守員番号を読み出すとともに、読み出した保守員番号を作業管理サーバに通報する作業開始通報部を有するものである。【選択図】図１
2013163585.tif 000002
【特許請求の範囲】
【請求項１】
状態が通常状態と点検状態とに切り替わる点検用スイッチを備えた監視対象装置を監視する監視装置と、
前記監視装置との間で通信を行う端末装置と、
前記監視対象装置に対する前記監視装置の作業を管理する作業管理サーバと、を備え、
前記端末装置は、休止状態および活動状態を含み、前記端末装置の休止状態においても前記監視装置からのアクセスが可能であって、前記端末装置を使用する保守員の保守員番号が記憶された保守員番号記憶部を有し、
前記監視装置は、前記点検用スイッチが通常状態から点検状態に切り替わった場合に、前記監視装置の近傍に存在する前記端末装置の前記保守員番号記憶部から前記保守員番号を読み出すとともに、読み出した前記保守員番号を前記作業管理サーバに通報する作業開始通報部を有する
ことを特徴とする監視システム。
【請求項２】
前記作業管理サーバは、
前記作業開始通報部から前記保守員番号が通報された場合に、前記端末装置を使用する保守員が所持する受信装置に対して、作業届け入力フォーム、または作業届け入力フォームのＵＲＬを記載したメールを送信する作業開始受信部を有する
ことを特徴とする請求項１に記載の監視システム。
【請求項３】
前記作業開始通報部は、前記点検用スイッチが通常状態から点検状態に切り替わった場合であって、前記端末装置を検出できないときには、前記監視対象装置の管理番号を前記作業管理サーバに通報し、
前記作業開始受信部は、前記管理番号に対応したメールアドレスに対して、作業開始を通報する連絡メールを送信する
ことを特徴とする請求項２に記載の監視システム。
【請求項４】
状態が通常状態と点検状態とに切り替わる点検用スイッチを備えた監視対象装置を監視する監視装置と、前記監視装置との間で通信を行う端末装置と、前記監視対象装置に対する前記監視装置の作業を管理する作業管理サーバと、を備え、前記端末装置は、休止状態および活動状態を含み、前記端末装置の休止状態においても前記監視装置からのアクセスが可能であって、前記端末装置を使用する保守員の保守員番号が記憶された保守員番号記憶部を有する監視システムにおける保守作業開始の通報方法であって、
前記点検用スイッチが通常状態から点検状態に切り替わった場合に、前記監視装置の近傍に存在する前記端末装置の前記保守員番号記憶部から前記保守員番号を読み出す読み出しステップと、
読み出した前記保守員番号を前記作業管理サーバに通報する通報ステップと、
を有することを特徴とする保守作業開始の通報方法。
【発明の詳細な説明】
【技術分野】
【０００１】
この発明は、例えばエレベータの保守作業に係る監視システムおよび保守作業開始の通報方法に関する。
【背景技術】
【０００２】
従来から、カードを挿入すれば保守点検作業中、カードを抜き出すと保守点検作業の終了を監視センタに送信するエレベータの遠隔監視端末装置が知られている（例えば、特許文献１参照）。
【０００３】
この遠隔監視端末装置は、エレベータの保守点検作業を開始するときに、技術者が携帯しているカードをカードインタフェースに接続すると、データ読出し部がカードに記録されている所定の情報を読み出して、伝送部が遠隔監視センタに保守点検作業の開始と共に所定の情報を送信し、該当するエレベータの保守点検作業の開始を知らせる。また、保守点検作業が終了したときに、技術者がカードをカードインタフェースから切り離すと、伝送部が遠隔監視センタに保守点検作業の終了を送信し、該当するエレベータの保守点検作業の終了を知らせる。
【０００４】
また、例えばエレベータの保守作業においては、作業中の保守員の安全を確保するために、保守員毎にどの現場で作業しているかを作業管理サーバで集中管理している。ここで、作業管理サーバに保守作業の開始を通報する方法としては、作業開始時に、保守員が、作業管理サーバのウェブフォームに対して、携帯電話等で作業開始を入力する方法や、保守作業で使用される端末装置（ノートＰＣ）がエレベータ監視装置に接続された際に、エレベータ監視装置が、作業管理サーバに自動的に作業開始を送信する方法等がある。
【先行技術文献】
【特許文献】
【０００５】
【特許文献１】特開平１１−２７２９７２号公報
【発明の概要】
【発明が解決しようとする課題】
【０００６】
しかしながら、従来技術には、以下のような課題がある。
すなわち、作業開始時に、保守員が作業開始を入力する方法では、保守員が能動的に作業開始を通報しなければならないので、通報を忘れる場合があるという問題がある。また、端末装置がエレベータ監視装置に接続された際に、エレベータ監視装置が作業開始を送信する方法では、すべての作業で端末装置を使用するとは限らないので、当日の作業で端末装置を使用しない場合には、作業開始が送信されない恐れがあるという問題がある。
【０００７】
この発明は、上記のような課題を解決するためになされたものであり、保守作業の開始を作業管理サーバに確実に通報することができる監視システムおよび保守作業開始の通報方法を得ることを目的とする。
【課題を解決するための手段】
【０００８】
この発明に係る監視システムは、状態が通常状態と点検状態とに切り替わる点検用スイッチを備えた監視対象装置を監視する監視装置と、監視装置との間で通信を行う端末装置と、監視対象装置に対する監視装置の作業を管理する作業管理サーバと、を備え、端末装置は、休止状態および活動状態を含み、端末装置の休止状態においても監視装置からのアクセスが可能であって、端末装置を使用する保守員の保守員番号が記憶された保守員番号記憶部を有し、監視装置は、点検用スイッチが通常状態から点検状態に切り替わった場合に、監視装置の近傍に存在する端末装置の保守員番号記憶部から保守員番号を読み出すとともに、読み出した保守員番号を作業管理サーバに通報する作業開始通報部を有するものである。
【０００９】
この発明に係る保守作業開始の通報方法は、状態が通常状態と点検状態とに切り替わる点検用スイッチを備えた監視対象装置を監視する監視装置と、監視装置との間で通信を行う端末装置と、監視対象装置に対する監視装置の作業を管理する作業管理サーバと、を備え、端末装置は、休止状態および活動状態を含み、端末装置の休止状態においても監視装置からのアクセスが可能であって、端末装置を使用する保守員の保守員番号が記憶された保守員番号記憶部を有する監視システムにおける保守作業開始の通報方法であって、点検用スイッチが通常状態から点検状態に切り替わった場合に、監視装置の近傍に存在する端末装置の保守員番号記憶部から保守員番号を読み出す読み出しステップと、読み出した保守員番号を作業管理サーバに通報する通報ステップと、を有するものである。
【発明の効果】
【００１０】
この発明に係る監視システムおよび保守作業開始の通報方法によれば、作業開始通報部（読み出しステップおよび通報ステップ）は、点検用スイッチが通常状態から点検状態に切り替わった場合に、監視装置の近傍に存在する端末装置の保守員番号記憶部から保守員番号を読み出すとともに、読み出した保守員番号を作業管理サーバに通報する。
すなわち、作業開始通報部は、端末装置の休止状態においても給電されて動作する保守員番号記憶部から保守員番号を読み出すので、端末装置が休止状態であるか活動状態であるかにかかわらず、作業管理サーバに作業開始を通報することができる。
そのため、保守作業の開始を作業管理サーバに確実に通報することができる。
【図面の簡単な説明】
【００１１】
【図１】この発明の実施の形態１に係る監視システムを示すブロック構成図である。
【図２】図１に示した作業管理サーバのメールアドレス変換テーブルの構造を示す説明図である。
【図３】図１に示した端末装置のハードウエアを示すブロック構成図である。
【図４】図１に示した携帯電話装置に送信される作業届け入力フォームを示す説明図である。
【図５】図１に示した携帯電話装置に送信される保守担当者向け連絡メールを示す説明図である。
【図６】図１に示したエレベータ監視装置の作業開始通報部の動作を示すフローチャートである。
【図７】図１に示した作業管理サーバの作業開始受信部の動作を示すフローチャートである。
【発明を実施するための形態】
【００１２】
以下、この発明に係る監視システムおよび保守作業開始の通報方法の好適な実施の形態につき図面を用いて説明するが、各図において同一、または相当する部分については、同一符号を付して説明する。
【００１３】
実施の形態１．
図１は、この発明の実施の形態１に係る監視システムを示すブロック構成図である。図１において、この監視システムは、エレベータ監視システム（監視システム）１と、エレベータ監視システム１によって監視および点検されるエレベータ装置（監視対象装置）２とから構成されている。
【００１４】
エレベータ監視システム１は、エレベータ監視装置（監視装置）１０、無線ＬＡＮアクセスポイント２０、端末装置３０、作業管理サーバ４０、公衆回線５０、携帯電話装置（受信装置）６０および携帯電話回線７０を備えている。ここで、端末装置３０および携帯電話装置６０は、エレベータ装置２の保守作業を行う保守員により所持される。
【００１５】
エレベータ監視装置１０は、エレベータ装置２の動作を監視する。無線ＬＡＮアクセスポイント２０は、エレベータ監視装置１０と端末装置３０との間に接続されている。エレベータ監視装置１０と端末装置３０とは、無線ＬＡＮアクセスポイント２０を介して、無線ＬＡＮ通信による通信が可能となっている。
【００１６】
端末装置３０は、エレベータ装置２を点検する際に用いられる。作業管理サーバ４０は、保守作業開始の通報を受けるとともに、登録メールを送信する。公衆回線５０は、エレベータ監視装置１０と作業管理サーバ４０との間に設けられている。携帯電話装置６０は、登録メールを受信する。携帯電話回線７０は、作業管理サーバ４０と携帯電話装置６０との間に設けられている。
【００１７】
エレベータ装置２は、かご（図示せず）の昇降等を制御するエレベータ制御部２１と、操作されることにより状態が通常状態と点検状態とに切り替わる点検用スイッチ２２と、エレベータ制御部２１に接続されたネットワーク通信部２３と、ネットワーク通信部２３に接続されたシリアル通信部２４とを有している。
【００１８】
エレベータ制御部２１には、点検用スイッチ２２の状態の情報を含むエレベータ装置２の状態の情報が入力されるようになっている。また、エレベータ制御部２１には、エレベータ管理番号（例えば、エレベータ装置２を特定する情報である号機番号）の情報やエレベータ装置２が設置されているビルの名前の情報が記憶されている。
【００１９】
図１では、エレベータ制御部２１に接続された点検用スイッチ２２の数が１個であるエレベータ装置２を示しているが、この実施の形態では、４個の点検用スイッチ２２をエレベータ装置２が備え、それぞれの点検用スイッチ２２がエレベータ制御部２１に接続されている。
【００２０】
４個の点検用スイッチ２２は、点検作業中である旨を表示装置（図示せず）に表示させるためのメンテナンススイッチ、かごの天井に設けられた照明装置（図示せず）を点滅点灯させるための点検スイッチ、停電時自動着床装置（図示せず）の駆動を停止させるための駆動停止スイッチ、およびエレベータ制御部２１を収容する制御盤（図示せず）の扉の回動による操作口の開閉を検出する制御盤扉開閉スイッチから構成されている。
【００２１】
メンテナンススイッチおよび点検スイッチの状態は、通常状態の場合にオフ状態となり、点検状態の場合にオン状態となる。駆動停止スイッチおよび制御盤扉開閉スイッチの状態は、通常状態の場合にオン状態となり、点検状態の場合にオフ状態となる。点検用スイッチ２２は、エレベータ装置２が通常運転を行う場合に、状態が通常状態となるように保守員により操作され、エレベータ装置２の点検を行う場合に、状態が点検状態となるように保守員により操作される。
【００２２】
エレベータ監視装置１０は、エレベータ監視部１１と、作業開始通報部１２と、エレベータ監視部１１および作業開始通報部１２に接続されたネットワーク通信部１３と、ネットワーク通信部１３とエレベータ装置２のシリアル通信部２４とに接続されたシリアル通信部１４と、ネットワーク通信部１３と無線ＬＡＮアクセスポイント２０とに接続されたＬＡＮ通信部１５とを有している。
【００２３】
エレベータ監視部１１は、点検用スイッチ２２の状態の情報を含むエレベータ装置２の状態の情報をエレベータ制御部２１から読み出す。作業開始通報部１２は、エレベータ監視部１１が読み出したエレベータ装置２の情報の中から点検用スイッチ２２の状態の情報とエレベータ装置２のエレベータ管理番号の情報とを読み出す。
【００２４】
エレベータ制御部２１とエレベータ監視部１１とは、ネットワーク通信部２３、シリアル通信部２４、シリアル通信部１４およびネットワーク通信部１３を介して、互いに通信可能となっている。
【００２５】
作業開始通報部１２は、点検用スイッチ２２の状態が通常状態である場合の点検用スイッチ２２の状態の情報があらかじめ記憶される記憶領域（図示せず）と、エレベータ監視部１１から読み出した点検用スイッチ２２の状態の情報が記憶される記憶領域（図示せず）とを有している。
【００２６】
作業開始通報部１２は、あらかじめ記憶されている点検用スイッチ２２の状態の情報と、エレベータ監視部１１から読み出した点検用スイッチ２２の状態の情報とを比較し、点検用スイッチ２２の状態が通常状態（オフ状態）から点検状態（オン状態）に切り替わった場合に作業開始を判定する。
【００２７】
端末装置３０は、インテル（登録商標）アクティブ・マネジメント・テクノロジ（Ｉｎｔｅｌ（登録商標）  ＡＭＴ）に対応したＰＣから構成されている。端末装置３０は、操作されることにより、電源オンでＯＳ（例えば、Ｗｉｎｄｏｗｓ（登録商標））が稼働している状態である活動状態（Ｓ０状態）と、ソフトウエアによる電源オフ（ただし一部デバイスへの給電あり）でＯＳが非稼働の状態である休止状態（Ｓ５状態）とに切り替わるようになっている。
【００２８】
端末装置３０は、端末装置３０の状態が活動状態のときにのみ動作する活動状態動作部８０と、端末装置３０が活動状態であるか休止状態であるかに関係なく動作する定常動作部９０とを有している。なお、休止状態において、他のＰＣからの不揮発メモリへのアクセス、休止状態から活動状態への電源オンまたは電源オフが可能である。
【００２９】
活動状態動作部８０は、定常動作部９０に接続されたネットワーク通信部８１と、エレベータ装置２の故障履歴やエレベータ装置２の状態等の点検に必要なエレベータ装置２の情報が、エレベータ監視部１１から入力される保守ツール部８２とを有している。
【００３０】
定常動作部９０は、無線ＬＡＮアクセスポイント２０が発する電波を受ける無線ＬＡＮ通信部９１と、無線ＬＡＮ通信部９１に接続された管理エンジン部９２と、端末装置３０の状態が活動状態であるか休止状態であるかに関係なく、管理エンジン部９２および無線ＬＡＮ通信部９１に電力を供給する電源管理部９３と、管理エンジン部９２に接続された不揮発メモリ管理部９４と、端末装置３０を使用する保守員の保守員番号が記憶された保守員番号記憶部９５とを有している。
【００３１】
無線ＬＡＮ通信部９１、管理エンジン部９２、電源管理部９３、不揮発メモリ管理部９４および保守員番号記憶部９５は、端末装置３０の状態が活動状態であるか休止状態であるかに関係なく、動作可能となっている。また、電源管理部９３は、端末装置３０の状態が活動状態である場合にのみ、ネットワーク通信部８１および保守ツール部８２に電力を供給する。ネットワーク通信部８１および保守ツール部８２は、端末装置３０の状態が活動状態である場合にのみ、動作可能となっている。
【００３２】
ネットワーク通信部１３およびネットワーク通信部８１は、無線ＬＡＮ通信部９１および無線ＬＡＮアクセスポイント２０が相互に電波を送受信可能な領域に位置する場合であって、端末装置３０の状態が活動状態である場合にのみ、ＬＡＮ通信部１５、無線ＬＡＮアクセスポイント２０および無線ＬＡＮ通信部９１を介して互いに通信可能となる。
【００３３】
また、ネットワーク通信部１３とネットワーク通信部８１との間の通信が可能である場合に、エレベータ監視部１１と保守ツール部８２との間の接続が可能となる。また、作業開始通報部１２および無線ＬＡＮ通信部９１は、無線ＬＡＮ通信部９１および無線ＬＡＮアクセスポイント２０が相互に電波を送受信可能な領域に位置する場合であれば、端末装置３０の状態が活動状態であるか休止状態であるかに関係なく、互いに通信可能となる。
【００３４】
エレベータ監視装置１０および端末装置３０は、作業開始通報部１２および無線ＬＡＮ通信部９１が互いに通信可能である場合に、互いに通信可能となる。したがって、無線ＬＡＮ通信部９１および無線ＬＡＮアクセスポイント２０が相互に電波を送受信可能な領域に位置しない場合には、エレベータ監視装置１０と端末装置３０との間の通信が不能となる。
【００３５】
作業管理サーバ４０は、作業開始通報部１２からの保守作業開始の通報を受ける作業開始受信部４１と、携帯電話装置６０に登録メールを送信する登録メール送信部４２と、登録メール送信部４２に接続されたメールアドレス変換テーブル４３と、携帯電話装置６０からの作業届けを処理する作業届け処理部４４と、携帯電話回線７０に接続された携帯電話通信部４５とを有している。
【００３６】
作業開始受信部４１には、保守員番号記憶部９５に記憶された保守員番号およびエレベータ装置２のエレベータ管理番号が、保守作業開始の通報とともに、公衆回線５０を介して作業開始通報部１２から入力されるようになっている。
【００３７】
メールアドレス変換テーブル４３は、図２に示されるように、作業開始通報部１２から入力される保守員番号と端末装置３０を使用する保守員が所持する携帯電話装置６０のメールアドレスとが対応するテーブルを有している。また、メールアドレス変換テーブル４３は、図２に示されるように、作業開始通報部１２から入力されるエレベータ管理番号とエレベータ装置２の保守担当者のメールアドレスとが対応するテーブルを有している。
【００３８】
携帯電話装置６０は、携帯電話回線７０に接続された携帯電話通信部６１と、作業管理サーバ４０からの登録メールを受信する登録メール受信部６２と、登録メールに示された作業届け入力フォーム（後述する）の入力処理を行う作業届け入力部６３とを有している。
【００３９】
図３は、図１に示した端末装置３０のハードウエアを示すブロック構成図である。端末装置３０のハードウエアは、活動状態動作部８０を動作させるための活動状態動作ハードウエア部１００と、定常動作部９０を動作させるための定常動作ハードウエア部１１０と、活動状態動作ハードウエア部１００および定常動作ハードウエア部１１０のそれぞれに電力を供給する電源供給装置１２０とを有している。
【００４０】
活動状態動作ハードウエア部１００は、ＣＰＵ（Ｃｅｎｔｒａｌ  Ｐｒｏｃｅｓｓｉｎｇ  Ｕｎｉｔ）１０１と、ＨＤＤ（Ｈａｒｄ  Ｄｉｓｃ  Ｄｒｉｖｅ）１０２と、ＨＤＤ１０２を制御するＨＤＤコントローラ１０３と、ディスプレイ１０４と、ディスプレイ１０４を制御するディスプレイコントローラ１０５と、スピーカ１０６と、スピーカ１０６を制御するサウンドコントローラ１０７と、キーボード・マウス１０８と、キーボード・マウス１０８を制御する入力コントローラ１０９とを有している。
【００４１】
定常動作ハードウエア部１１０は、管理ＣＰＵ１１１と、管理ＣＰＵ１１１に接続されたメモリコントローラ１１２と、メモリコントローラ１１２により制御されるメモリ１１３と、メモリコントローラ１１２に接続されたＩ／Ｏコントローラ１１４と、ＬＡＮインタフェース１１５と、不揮発性メモリ１１６とを有している。ＬＡＮインタフェース１１５および不揮発性メモリ１１６は、Ｉ／Ｏコントローラ１１４に接続されている。
【００４２】
以下、図１に戻って、エレベータ監視装置１０および作業管理サーバ４０の主な部分の機能について説明する。
作業開始通報部１２は、点検用スイッチ２２の状態が通常状態（オフ状態）から点検状態（オン状態）に切り替わった場合に、無線ＬＡＮアクセスポイント２０の電波をオンし、無線ＬＡＮ通信により、近傍の端末装置３０の保守員番号記憶部９５から保守員番号を読み出す。
【００４３】
また、作業開始通報部１２は、保守作業開始の通報として、エレベータ管理番号と併せて、読み出した保守員番号を、公衆回線５０を介して作業管理サーバ４０の作業開始受信部４１に送信する。なお、作業開始通報部１２は、点検用スイッチ２２の状態が通常状態（オフ状態）から点検状態（オン状態）に切り替わった場合であって、近傍に端末装置３０を検出できないときには、エレベータ管理番号のみを作業開始受信部４１に送信する。
【００４４】
作業開始受信部４１は、作業開始通報部１２から保守員番号およびエレベータ管理番号が入力された場合には、保守員番号に対応したメールアドレスをメールアドレス変換テーブル４３から読み出して、当該保守員の携帯電話装置６０に対して、登録メール送信部４２から、図４に示された作業届け入力フォーム、または作業届け入力フォームのＵＲＬを記載したメールを送信する。これに対して、保守員は、作業届け入力フォームに作業終了予定時刻を入力して返信する。
【００４５】
また、作業開始受信部４１は、作業開始通報部１２からエレベータ管理番号のみが入力された場合には、エレベータ管理番号に対応した保守担当者のメールアドレスをメールアドレス変換テーブル４３から読み出して、当該保守担当者に対して、登録メール送信部４２から、図５に示された連絡メールを送信する。これにより、保守員番号が読み出せない場合に、エレベータ装置２の保守担当者に保守作業が開始されたことを通知する。
【００４６】
以下、図６のフローチャートを参照しながら、エレベータ監視装置１０の作業開始通報部１２の動作について説明する。
まず、作業開始通報部１２は、エレベータ監視部１１が読み出したエレベータ装置２の情報の中から点検用スイッチ２２の状態の情報とエレベータ装置２のエレベータ管理番号の情報とを読み出す（ステップＳ１）。
【００４７】
続いて、作業開始通報部１２は、何れかの点検用スイッチ２２の状態が点検状態であるか否かを判定する（ステップＳ２）。
ステップＳ２において、何れの点検用スイッチ２２の状態も点検状態でない（すなわち、Ｎｏ）と判定された場合には、ステップＳ１に移行する。
【００４８】
一方、ステップＳ２において、何れかの点検用スイッチ２２の状態が点検状態である（すなわち、Ｙｅｓ）と判定された場合には、作業開始通報部１２は、無線ＬＡＮアクセスポイント２０に対して、電波オン指令を送信する（ステップＳ３）。
【００４９】
次に、作業開始通報部１２は、無線ＬＡＮアクセスポイント２０から近傍に存在する端末装置３０のリストを取得する（ステップＳ４）。
続いて、作業開始通報部１２は、近傍に端末装置３０が存在するか否かを判定する（ステップＳ５）。
【００５０】
ステップＳ５において、近傍に端末装置３０が存在する（すなわち、Ｙｅｓ）と判定された場合には、作業開始通報部１２は、端末装置３０の保守員番号記憶部９５から保守員番号を読み取り（ステップＳ６）、読み取りが成功したか否かを判定する（ステップＳ７）。
【００５１】
ステップＳ７において、読み取りが成功した（すなわち、Ｙｅｓ）と判定された場合には、作業開始通報部１２は、作業管理サーバ４０の作業開始受信部４１に保守員番号およびエレベータ管理番号を送信する（ステップＳ８）。
【００５２】
一方、ステップＳ５において、近傍に端末装置３０が存在しない（すなわち、Ｎｏ）と判定された場合には、作業開始通報部１２は、点検開始から所定時間が経過したか否かを判定する（ステップＳ９）。
【００５３】
ステップＳ９において、所定時間が経過した（すなわち、Ｙｅｓ）と判定された場合には、作業開始通報部１２は、作業管理サーバ４０の作業開始受信部４１にエレベータ管理番号を送信する（ステップＳ１０）。
【００５４】
一方、ステップＳ７において、読み取りが成功していない（すなわち、Ｎｏ）と判定された場合、およびステップＳ９において、所定時間が経過していない（すなわち、Ｎｏ）と判定された場合には、ステップＳ４に移行する。
【００５５】
次に、作業開始通報部１２は、端末装置３０の保守ツール部８２からエレベータ監視部１１へのアクセスの有無を確認する（ステップＳ１１）。
続いて、作業開始通報部１２は、端末装置３０からのアクセスが一定時間ないか否かを判定する（ステップＳ１２）。
【００５６】
ステップＳ１２において、アクセスが一定ない（すなわち、Ｙｅｓ）と判定された場合には、作業開始通報部１２は、無線ＬＡＮアクセスポイント２０の電波をオフして（ステップＳ１３）、図６の処理を終了する。
一方、ステップＳ１２において、端末装置３０からのアクセスがある（すなわち、Ｎｏ）と判定された場合には、ステップＳ１１に移行する。
【００５７】
以下、図７のフローチャートを参照しながら、作業管理サーバ４０の作業開始受信部４１の動作について説明する。
まず、作業開始受信部４１は、作業開始通報部１２からの保守作業開始の通報を受信する（ステップＳ２１）。
【００５８】
続いて、作業開始受信部４１は、受信内容に保守員番号が含まれているか否かを判定する（ステップＳ２２）。
ステップＳ２２において、保守員番号が含まれている（すなわち、Ｙｅｓ）と判定された場合には、作業開始受信部４１は、メールアドレス変換テーブル４３から保守員番号に対応するメールアドレスを読み出して（ステップＳ２３）、作業届け入力フォームを作成する（ステップＳ２４）。
【００５９】
一方、ステップＳ２２において、保守員番号が含まれていない（すなわち、Ｎｏ）と判定された場合には、作業開始受信部４１は、メールアドレス変換テーブル４３からエレベータ管理番号に対応するメールアドレスを読み出して（ステップＳ２５）、保守担当者向けの連絡メールを作成する（ステップＳ２６）。
【００６０】
次に、作業開始受信部４１は、作成した作業届け入力フォームまたは連絡メールを、ステップＳ２３またはステップＳ２５で読み出したメールアドレスに対して送信し（ステップＳ２７）、図７の処理を終了する。
【００６１】
以上のように、実施の形態１によれば、作業開始通報部は、点検用スイッチが通常状態から点検状態に切り替わった場合に、監視装置の近傍に存在する端末装置の保守員番号記憶部から保守員番号を読み出すとともに、読み出した保守員番号を作業管理サーバに通報する。
すなわち、作業開始通報部は、端末装置の休止状態においても給電されて動作する保守員番号記憶部から保守員番号を読み出すので、端末装置が休止状態であるか活動状態であるかにかかわらず、作業管理サーバに作業開始を通報することができる。
そのため、保守作業の開始を作業管理サーバに確実に通報することができる。
【００６２】
また、作業開始通報部から保守員番号が通報された場合に、作業開始受信部が、端末装置を使用する保守員が所持する受信装置に対して、作業届け入力フォーム、または作業届け入力フォームのＵＲＬを記載したメールを送信することにより、保守作業に付帯する作業届けの入力を容易にすることができる。
【００６３】
また、点検用スイッチが通常状態から点検状態に切り替わった場合であって、端末装置を検出できないときに、作業開始通報部が、監視対象装置の管理番号を作業管理サーバに通報し、作業開始受信部が、管理番号に対応したメールアドレスに対して、作業開始を通報する連絡メールを送信することにより、監視対象装置の保守担当者に対して、誤った手順での作業や許可されていない人物による保守作業等、監視対象装置が安全でない状態を通知することができる。
【符号の説明】
【００６４】
１  エレベータ監視システム、２  エレベータ装置、１０  エレベータ監視装置、１１  エレベータ監視部、１２  作業開始通報部、１３  ネットワーク通信部、１４  シリアル通信部、１５  ＬＡＮ通信部、２０  無線ＬＡＮアクセスポイント、２１  エレベータ制御部、２２  点検用スイッチ、２３  ネットワーク通信部、２４  シリアル通信部、３０  端末装置、４０  作業管理サーバ、４１  作業開始受信部、４２  登録メール送信部、４３  メールアドレス変換テーブル、４４  作業届け処理部、４５  携帯電話通信部、５０  公衆回線、６０  携帯電話装置、６１  携帯電話通信部、６２  登録メール受信部、６３  作業届け入力部、７０  携帯電話回線、８０  活動状態動作部、８１  ネットワーク通信部、８２  保守ツール部、９０  定常動作部、９１  無線ＬＡＮ通信部、９２  管理エンジン部、９３  電源管理部、９４  不揮発メモリ管理部、９５  保守員番号記憶部、１００  活動状態動作ハードウエア部、１０１  ＣＰＵ、１０２  ＨＤＤ、１０３  ＨＤＤコントローラ、１０４  ディスプレイ、１０５  ディスプレイコントローラ、１０６  スピーカ、１０７  サウンドコントローラ、１０８  キーボード・マウス、１０９  入力コントローラ、１１０  定常動作ハードウエア部、１１１  管理ＣＰＵ、１１２  メモリコントローラ、１１３  メモリ、１１４  Ｉ／Ｏコントローラ、１１５  ＬＡＮインタフェース、１１６  不揮発性メモリ、１２０  電源供給装置。
【図１】
2013163585.tif 000003
【図２】
2013163585.tif 000004
【図３】
2013163585.tif 000005
【図４】
2013163585.tif 000006
【図５】
2013163585.tif 000007
【図６】
2013163585.tif 000008
【図７】
2013163585.tif 000009